(57)【要約】【課題】電子装置の動作状態が外部から視認し易い状態表示器を提供することを目的とする。【解決手段】電子装置１の筐体２に実装されるコネクタアダプタ３の、前記筐体２から突出する部分に取り付ける状態表示器１０を導光部材で形成し、この状態表示器１０には、筐体２内にある基板に実装されて電子装置１の動作状態に応じて発光するＬＥＤ５に対向する採光部１１と、採光部１１に連続し、筐体２の外部に突出する連絡部１２と、連絡部１２に連続し、筐体２から露出するコネクタアダプタ３の外周部全面に取り付けられる表示部１３を設けた。この結果、電子機器１の動作状態が、コネクタアダプタ３の外周部に位置する表示部１３により表示され、外部から視認し易い。【選択図】図７
2018097207.tif 000002
【特許請求の範囲】
【請求項１】
電子装置の筐体に実装されるコネクタアダプタの、前記筐体から突出する部分に取り付けられる状態表示器であって、
導光部材で形成され、
前記筐体内に実装されて前記電子装置の動作状態に応じて発光するＬＥＤに対向する採光部と、
前記採光部に連続し、前記筐体の外部に突出する連絡部と、
前記連絡部に連続し、前記筐体から露出する前記コネクタアダプタの外周部全面に取り付けられる表示部、とを備える状態表示器。
【請求項２】
前記表示部は前記コネクタアダプタの外形に応じた取付孔を備えた環状部材であり、
前記連絡部と前記採光部は、前記表示部に突設された板状部材である請求項１に記載の状態表示器。
【請求項３】
前記表示部の前記筐体に対向する部分は、入射された前記ＬＥＤからの光を全反射させる角度を備えたテーパ面になっていることを特徴とする請求項２に記載の状態表示器。
【請求項４】
前記コネクタアダプタには複数のコネクタが接続され、
前記採光部、前記連絡部及び前記表示部には、前記状態表示器を前記複数のコネクタの境界部で分断して光の透過を防止する遮蔽板が内蔵されており、
前記遮蔽板で分断された前記採光部は、分断数に応じて前記基板に実装された複数のＬＥＤにそれぞれ対向していることを特徴とする請求項１から３の何れか１項に記載の状態表示器。
【請求項５】
請求項１から４の何れか１項に記載の状態表示器を備えた電子装置。
【請求項６】
電子装置の筐体に実装されるコネクタアダプタの、前記筐体から突出する部分の外周面に導光部材を周回させて発光部を形成し、
前記発光部の一部を延長し、延長した前記導光部材を前記筐体内に挿入し、
延長した前記導光部材の先端部分を採光部とし、前記採光部を前記筐体内に実装されて前記電子装置の動作状態に応じて発光するＬＥＤに対向させ、
前記採光部から前記導光部材内に進入した光を、前記導光部材の連絡部で前記発光部に導き、
前記発光部で前記コネクタアダプタの外周面を光らせて前記電子装置の動作状態を表示する電子装置の状態表示方法。
【請求項７】
前記コネクタアダプタに複数のコネクタが接続される場合に、
前記導光部材を前記複数のコネクタの接続境界部で左右に分断して光の透過を防止する遮蔽板を前記導光部材に内蔵させ、
前記遮蔽板で分断された前記採光部は、分断数に応じて前記基板に実装された複数のＬＥＤにそれぞれ対向させ、
前記遮蔽板の両側の前記発光部に、前記電子機器の異なる動作状態を表示させる請求項６に記載の電子装置の状態表示方法。
【発明の詳細な説明】
【技術分野】
【０００１】
本出願は状態表示器、状態表示器を備えた電子装置及び電子装置の状態表示方法に関する。
【背景技術】
【０００２】
従来、伝送装置を含む電子装置にはプラグインユニットと呼ばれるモジュールを抜き差しすることによって機能拡張、仕様変更などを行うものがある。このようなプラグインユニットの１つとして光ファイバ機器があり、光ファイバ機器には光ファイバで情報が入力される。また、伝送装置を含む電子装置の中には、動作中かどうかの状態を表示することが必要な機器があり、このような機器では、集光機能を持たせた部品を光アダプタや電気アダプタに装着することにより、電子機器の動作状態を表示していた。
【０００３】
図１（ａ）は、電子装置１の筐体２に装着されたコネクタアダプタの一つである光アダプタ３の周囲にある状態表示器９の比較技術の一例を示しており、電子機器１を正面から見た状態が示されている。本比較技術では、状態表示器９は光アダプタ３の横に設けられている。図１（ｂ）は、図１（ａ）に示した電子機器１における、状態表示器９の部分の内部構造を示すものである。電子装置１の筐体２の内部には回路基板（以後単に基板と記す）４があり、回路基板４の上側の面に電子装置１の動作状態を表示するためのＬＥＤ５が実装されている。筐体２に設けられた状態表示器９は、ＬＥＤ５の発光をライトパイプ８で筐体２まで導くことによって、ＬＥＤ５の発光状態を筐体２の外部から視認できるようにしたものである。
【０００４】
図２（ａ）は、電子装置１に装着された光アダプタ３の周囲にある状態表示器９の比較技術の他の例を示しており、電子機器１を正面から見た状態が示されている。本比較技術では、状態表示器９は複数の光アダプタ３のそれぞれの直下の筐体２に設けられている。図２（ｂ）は、図２（ａ）に示した電子機器１における、状態表示器９の部分の内部構造を示すものである。電子装置１の動作状態を表示するためのＬＥＤ５は、電子装置１の筐体２の内部にある基板４の下側の面に実装されている。また、光アダプタ３は、固定金具７で基板４の上側の面に固定されている。筐体２に設けられた状態表示器９は、ＬＥＤ５の発光をライトパイプ８で筐体２まで導くことによって、ＬＥＤ５の発光状態を筐体２の外部から視認できるようにしたものである。図２（ｃ）は、図２（ｂ）に示した電子装置１の筐体２を外部から見た部分斜視図である。
【０００５】
図３（ａ）は、図１（ｂ）及び図２（ｂ）に示したＬＥＤ５を発光させるための、ＬＥＤの駆動回路の一例を示す回路図である。電子機器の中の基板には、例えば、プログラマブル・ロジック・デバイスの一種であるＣＰＬＤ（Complex Programmable Logic Device）５０が設けられており、ＣＰＬＤ５０の１つの端子には、ＣＰＬＤ５０の動作状態を示すＬＥＤ５が接続されている。符号Ｒが付された抵抗５１，５２は、ＬＥＤ５を動作させるためのものである。ＣＰＬＤ５０において、ＣＰＬＤ５０の動作状態に応じてＬＥＤ５を点灯駆動させるための回路は公知であるので、ここでは説明しない。また、ＬＥＤ５に多色ＬＥＤを使用して、図３（ｂ）に示すように、緑色、赤色及び黄色の発光が行えるようにすると、ＬＥＤ５を点灯、或いは点滅させることにより、ＣＰＬＤ５０の複数の動作状態を示すことができる。
【先行技術文献】
【特許文献】
【０００６】
【特許文献１】実開平５−４８２５８号公報
【０００７】
【特許文献２】特開平９−２０３８７０号公報
【発明の概要】
【発明が解決しようとする課題】
【０００８】
ところが、図２（ａ）に示した比較技術では、状態表示器９が複数の光アダプタ３のそれぞれの直下の筐体２に設けられているために、図２（ｃ）に示すように、状態表示器９の表示が光アダプタ３に隠れて視認し難いという課題がある。
【０００９】
１つの側面では、電子装置の動作状態が外部から視認し易い状態表示器を提供することを目的とする。他の側面では、動作状態が外部から視認し易い状態表示器を備える電子装置を提供することも目的とする。更に他の側面では、電子装置の動作状態が外部から視認し易い電子装置の状態表示方法を提供することも目的とする。
【課題を解決するための手段】
【００１０】
１つの形態によれば、電子装置の筐体に実装されるコネクタアダプタの、筐体から突出する部分に取り付けられる状態表示器であって、導光部材で形成され、筐体内に実装されて電子装置の動作状態に応じて発光するＬＥＤに対向する採光部と、採光部に連続し、筐体の外部に突出する連絡部と、連絡部に連続し、筐体から露出するコネクタアダプタの外周部全面に取り付けられる表示部とを備える状態表示器が提供される。
【００１１】
他の形態によれば、電子装置の筐体に実装されるコネクタアダプタの、筐体から突出する部分に取り付けられる状態表示器であって、導光部材で形成され、筐体内に実装されて電子装置の動作状態に応じて発光するＬＥＤに対向する採光部と、採光部に連続し、筐体の外部に突出する連絡部と、連絡部に連続し、筐体から露出するコネクタアダプタの外周部全面に取り付けられる表示部とを備える状態表示器を備えた電子装置が提供される。
【００１２】
更に、他の形態によれば、電子装置の筐体に実装されるコネクタアダプタの、筐体から突出する部分の外周面に導光部材を周回させて発光部を形成し、発光部の一部を延長し、延長した導光部材を筐体内に挿入し、延長した導光部材の先端部分を採光部とし、採光部を筐体内に実装されて電子装置の動作状態に応じて発光するＬＥＤに対向させ、採光部から導光部材内に進入した光を、導光部材の連絡部で発光部に導き、発光部でコネクタアダプタの外周面を光らせて電子装置の動作状態を表示する電子装置の状態表示方法が提供される。
【発明の効果】
【００１３】
開示の状態表示器、状態表示器を備える電子装置及び電子装置の状態表示方法には、電子装置の動作状態を、筐体の外部から視認性を良く確認することができるという効果がある。
【図面の簡単な説明】
【００１４】
【図１】（ａ）は電子装置に装着された光アダプタの周囲にある状態表示器の比較技術の一例を示す機器の正面図、（ｂ）は（ａ）に示した状態表示器の電子装置の筐体への取付構造を示す部分断面図である。
【図２】（ａ）は電子装置に装着された光アダプタの周囲にある状態表示器の比較技術の他の例を示す機器の正面図、（ｂ）は（ａ）に示した状態表示器の電子装置の筐体への取付構造を示す部分断面図、（ｃ）は（ｂ）に示した電子装置の筐体を外部から見た部分斜視図である。
【図３】（ａ）は状態表示器に光を入力するＬＥＤの駆動回路の一例を示す回路図、（ｂ）は状態表示器に入力する光の発光色と装置の状態の関係の一例を示す関係図である。
【図４】（ａ）は開示する状態表示器の第１の実施例の構造を示す三面図、（ｂ）は（ａ）に示した状態表示器を背面側から見た斜視図である。
【図５】（ａ）は第１の実施例の状態表示器の中を背面側から入力された光が進む状態を説明する説明図、（ｂ）は図３に示した状態表示器のテーパ構造による光の進路を説明する説明図である。
【図６】（ａ）は光アダプタに第１の実施例の状態表示器を装着する工程を示す説明図、（ｂ）は（ａ）に示した工程により光アダプタに取り付けられた状態表示器を前面側上方から見た斜視図、（ｃ）は（ａ）に示した工程により光アダプタに取り付けられた状態表示器を前面側下方から見た斜視図である。
【図７】（ａ）は第１の実施例の状態表示器が装置内の基板に取付られた状態を示す部分平面図、（ｂ）は（ａ）のＢ−Ｂ線における断面図、（ｃ）は（ａ）のＣ−Ｃ線における断面図である。
【図８】（ａ）は電子装置の基板に第１の実施例の状態表示器が取り付けられた状態を上方から見た状態を示す斜視図、（ｂ）は、（ａ）に示した基板を下方から見た状態を示す斜視図、（ｃ）は（ａ）に示した基板に電子装置の筐体（パネル）が取り付けられた状態を上方から見た斜視図、（ｄ）は（ｃ）に示した基板を下方から見た状態を示す斜視図である。
【図９】（ａ）から（ｃ）は、図６（ｂ）に示した状態表示器を異なる色で発光させた状態を示す斜視図である。
【図１０】（ａ）は第２の実施例の状態表示器が装置の基板に実装された光アダプタに装着された状態を示す部分側面図、（ｂ）は（ａ）に示した状態表示器の底面の構造を示す斜視図である。
【図１１】（ａ）は第３の実施例の状態表示器が装置の基板に実装された光アダプタに装着された状態を示す部分側面図、（ｂ）は（ａ）に示した状態表示器の底面の構造を示す斜視図である。
【図１２】（ａ）は開示する状態表示器の第４の実施例の構造を示す斜視図、（ｂ）は（ａ）に示した状態表示器が多連の光アダプタに取付られて左右で異なる色を発光している状態を示す斜視図である。
【発明を実施するための形態】
【００１５】
以下、添付図面を用いて本出願の実施の形態を、具体的な実施例に基づいて詳細に説明する。なお、以下に説明する実施の形態においては、同一または類似の要素には共通の参照符号を付し、理解を容易にするために、図面の縮尺を適宜変更している。
【００１６】
図４（ａ）は、開示する第１の実施例の状態表示器１０の構造を示す三面図（平面図、正面図及び側面図）であり、図４（ｂ）は図４（ａ）に示した状態表示器１０を背面側から見た斜視図である。第１の実施例の状態表示器１０は、図２（ａ）に示した電子装置１の筐体２に実装されるコネクタアダプタ３の、筐体２から突出する部分に取り付けられるものであり、導光部材で形成されている。状態表示器１０は、採光部１１と、連絡部１２と、表示部１３とを備える。採光部１１は、筐体２内にある基板（後述）に実装されて電子装置の動作状態に応じて発光するＬＥＤ（後述）に対向するようになっている。連絡部１２は、採光部１１に連続しており、後述のように、電子装置の筐体を貫いて筐体外部に突出するようになっている。表示部１３は、筐体外部で連絡部１２に連続し、筐体から露出するコネクタアダプタの外周部全面に取り付けられるようになっている。
【００１７】
表示部１３はコネクタアダプタの外形に応じた取付孔１４を備えた環状部材であり、採光部１１と連絡部１２は、表示部１３に突設された板状部材である。そして、表示部１３の筐体側の端面は、ＬＥＤから状態表示器１０内に入射された光を全反射させる角度を備えたテーパ面Ｔになっている。更に、採光部１１の自由端部には、状態表示器１０がコネクタアダプタに取り付けられた時に、コネクタアダプタの端部に係合して、状態表示器１０がコネクタアダプタから外れないようにする係止突起１５が設けられている。
【００１８】
図５（ａ）は、状態表示器１０が他の部品（例えばコネクタアダプタ３）の外周部に取り付けられた状態を示しており、状態表示器１０の採光部１１の近傍にＬＥＤ５が設けられている状態を示している。図５（ａ）には、ＬＥＤ５から照射された光が採光部１１から状態表示器１０の中に入力され、内部で全反射して連絡部１２から表示部１３に進んで外部に放射される状態が示されている。また、図５（ｂ）には、ＬＥＤ５から入射された光が、採光部１１から状態表示器１０の中に入力され、内部で全反射して連絡部１２から表示部１３に進み、表示部１３に設けられたテーパ面Ｔにより、表示部１３の前端面から放射される状態が示されている。
【００１９】
図６（ａ）は、コネクタアダプタ３の１つである光アダプタ３に、状態表示器１０を装着する手順を説明する図である。状態表示器１０を、板状の採光部１１と連絡部１２を、光アダプタ３の底面３Ｂに沿わせて移動させ、表示部１３を光アダプタ３の外周面に嵌め込む。光アダプタ３の両側面には、状態表示器１０の挿入時に表示部１３に当接して状態表示器１０の挿入を止める凸部６と、光アダプタ３の固定金具（後述）を固定するための突起３Ｐが設けられている。突起３Ｐは斜面を備えており、斜面が押圧されると光アダプタ３の側面側に変形し、押圧力が無くなると元の位置に戻るようになっている。
【００２０】
採光部１１と連絡部１２を、光アダプタ３の底面３Ｂに沿わせて移動させてゆき、表示部１３が光アダプタ３の外周面に嵌め込まれると、光アダプタ３の底面３Ｂに係止突起１５が当接する。係止突起１５は採光部１１と連絡部１２の表面から突出しているので、光アダプタ３の底面３Ｂに係止突起１５が当接した状態では、採光部１１と連絡部１２とが表示部１３に対して湾曲する。このため、板状の採光部１１と連絡部１２は湾曲できる構造に形成されている。
【００２１】
表示部１３をそのまま光アダプタ３の外周面に嵌め込んでいくと、表示部１３が凸部６に当接するので状態表示器１０の移動が止まる。そして、表示部１３が凸部６に当接した状態で、図６（ｂ）及び図６（ｃ）に示すように、係止突起１５が光アダプタ３の端部に係合して状態表示器１０が光アダプタ３から外れないようにロックされる。図６（ｂ）は、図６（ａ）に示した手順により光アダプタ３に取り付けられた状態表示器１０を前面側上方から見たものであり、図６（ｃ）は、光アダプタ３に取り付けられた状態表示器１０を前面側下方から見たものである。本実施例の光アダプタ３には２本の光コネクタが装着されるようになっており、光アダプタ３は２連の光アダプタである。
【００２２】
光アダプタ３が取り付けられる基板４には、図７（ａ）に示すように、予め光アダプタ３を固定する固定金具７が取り付けられている。固定金具７には、基板４に固定される２本の取付脚７０と、２本の取付脚７０の間の部分に、基板４に対して垂直な方向に設けられる取付部７１がある。取付部７１には光アダプタ３を取り付けるための取付孔７２があり、光アダプタ３はこの取付孔７２に基板４の反対側から挿入されて取り付けられる。取付孔７２の形状は、光アダプタ３の本体と、光アダプタ３に装着された状態表示器１０を挿通できる形状である。光アダプタ３を固定金具７に取り付ける場合は、状態表示器１０を装着した状態でも良く、また、光アダプタ３だけを先に固定金具７に取り付けておき、後から光アダプタ３に状態表示器１０を取り付けても良い。
【００２３】
固定金具７の取付孔７２に光アダプタ３を挿入していくと、光アダプタ３の側面に設けられた突起３Ｐの斜面が取付孔７２に当接する。前述のように、突起３Ｐに設けられた斜面は、押圧されると光アダプタ３の側面側に変形するので、光アダプタ３は突起３Ｐを変形させながら取付孔７２に挿入される。固定金具７の取付孔７２への光アダプタ３の挿入を続けると、やがて光アダプタ３にある凸部６が固定金具７に当接し、光アダプタ３が取付孔７２にこれ以上挿入できなくなる。
【００２４】
そして、光アダプタ３にある凸部６が固定金具７に当接した時点で、光アダプタ３の側面にある突起３Ｐが固定金具７の取付孔７２を通り過ぎ、取付孔７２によって押圧されなくなる。すると、斜面が押圧されなくなった突起３Ｐが元の状態に戻り、突起３Ｐが取付孔７２の外側に突出する。この結果、光アダプタ３は固定金具７を突起３Ｐと凸部６で挟み込む状態になって、固定金具７に取り付けられる。この後、光アダプタ３が取り付けられた基板４の周囲に、電子機器の筐体が取り付けられる。
【００２５】
図７（ｂ）は、図７（ａ）に示した基板４の周囲に筐体２が取り付けられた状態の、図７（ａ）に示したＢ−Ｂ線における断面図であり、図７（ｃ）はＣ−Ｃ線における断面図である。電子装置１の筐体２の内部にある基板４の上には、光アダプタ３に取り付けられた状態表示器１０の採光部１１に対向する位置にＬＥＤ５が実装されている。このため、ＬＥＤ５が発光すると、ＬＥＤ５から放出された光は、状態表示器１０の採光部１１から状態表示器１０の内部に入り、連絡部１２を通って表示部１３に伝わり、表示部１３から外部に放射されるので、表示部１３が発光する。状態表示器１０は、係止突起１５によって光アダプタ３の端部にロックされているので、筐体２から外れることはない。
【００２６】
図８（ａ）は、電子装置の基板４に第１の実施例の状態表示器１０が取り付けられた状態を上方から見た状態を示す斜視図であり、図８（ｂ）は、図８（ａ）に示した基板４を下方から見た状態を示す斜視図である。また、図８（ｃ）は、図８（ａ）に示した基板４に電子装置の筐体（パネル）２が取り付けられた状態を上方から見た斜視図であり、図８（ｄ）は図８（ｃ）に示した基板４を下方から見た状態を示す斜視図である。本実施例では、固定金具７に、３つの２連の光アダプタ３が取り付けられており、各光アダプタ３に状態表示器１０が装着されている。
【００２７】
図９（ａ）から図９（ｃ）は、図６（ｂ）に示した状態表示器１０を異なる色で発光させた状態を示す斜視図である。これは、状態表示器１０の採光部１１の直下に配置されたＬＥＤを、例えば、緑色、赤色、黄色の何れかの色に発光する多色ＬＥＤとすることによって実現することができる。そして、各色に発光した状態表示器１０は電子装置の外部から視認することができるので、光アダプタ３に接続する光ケーブルの動作状態を外部から明確に把握することができる。
【００２８】
図１０（ａ）は、第２の実施例の状態表示器１０Ａが電子装置１の基板４に実装された光アダプタ３に装着された状態を示す部分側面図であり、図１０（ｂ）は図１０（ａ）に示した状態表示器１０Ａの底面の構造を示す斜視図である。図１０（ａ）に示すように、光アダプタ３は図示を省略した固定金具によって基板４に固定されている。固定金具の両側に基板４に固定される２本の取付脚があり、光アダプタ３が取付脚の間の部分に固定される点は第１の実施例の状態表示器１０と同じである。状態表示器１０Ａの採光部１１に対向する基板４の上にＬＥＤ５が設けられている点も同じである。
【００２９】
第２の実施例の状態表示器１０Ａが第１の実施例の状態表示器１０と相違する点は、図１０（ｂ）に示すように、状態表示器１０Ａの採光部１１の自由端部に、対向する基板４の上に実装されたＬＥＤ５からの光を反射する反射板１６が設けられている点である。反射板１６には鏡面加工を施すことができる。反射板１６があると、ＬＥＤ５から放出された光のうち、状態表示器１０Ａの採光部１１から状態表示器１０Ａの内部に入らなかった光も、反射板１６で反射されて状態表示器１０Ａの採光部１１から状態表示器１０Ａの内部に入るようになる。この結果、連絡部１２を通って表示部１３に伝わる光量が増し、表示部１３がより明るく発光するようになる。
【００３０】
図１１（ａ）は、第３の実施例の状態表示器１０Ｂが電子装置１の基板４に実装された光アダプタ３に装着された状態を示す部分側面図であり、図１１（ｂ）は図１１（ａ）に示した状態表示器１０Ｂの底面の構造を示す斜視図である。図１１（ａ）に示すように、光アダプタ３は図示を省略した固定金具によって基板４に固定されている。固定金具の両側に基板４に固定される２本の取付脚があり、光アダプタ３が取付脚の間の部分に固定される点は第１の実施例の状態表示器１０と同じである。状態表示器１０Ｂの採光部１１に対向する基板４の上にＬＥＤ５が設けられている点も同じである。
【００３１】
第３の実施例の状態表示器１０Ｂが第１の実施例の状態表示器１０と相違する点は、図１１（ｂ）に示すように、表示部１３に接続する連絡部１２と採光部１１の肉厚が状態表示器１０に比べて厚くなっている点と、採光部１１の自由端部の形状である。第３の実施例の状態表示器１０Ｂでは、図１１（ｂ）に示すように、採光部１１の自由端部に、状態表示器１０Ｂの底面から一段低くなった段差部１７が設けられており、段差部１７と採光部１１の底面との接続面がテーパ面Ｔになっている。そして、この段差部１７が、図１１（ａ）に示すように、基板４の上に実装されたＬＥＤ５に対向している。
【００３２】
段差部１７があると、採光部１１の底面の面積が大きくなるので、採光部１１から状態表示器１０Ｂの内部に入る光の量が増大する。この結果、連絡部１２を通って表示部１３に伝わる光量が増し、表示部１３がより明るく発光するようになる。図１１（ｂ）に示した実施例では、段差部１７及びテーパ面Ｔが直線状であるが、段差部１７及びテーパ面Ｔが基板に実装されたＬＥＤを囲むような湾曲形状になっていても良い。
【００３３】
図１２（ａ）は開示する第４の実施例の状態表示器１０Ｃの構造を示す斜視図である。第４の実施例の状態表示器１０Ｃは、光アダプタ３に接続されるコネクタの数が増えた場合に対応するものである。第１から第３の実施例の状態表示器１０，１０Ａ，１０Ｂは、光アダプタ３が２連の場合に対応するものであった。一方、第４の実施例の状態表示器１０Ｃは、図１２（ｂ）に示すように、光アダプタ３が４連の場合（コネクタが４本接続される場合）に対応するものである。
【００３４】
光アダプタ３が４連の場合、状態表示器１０Ｃの採光部１１、連絡部１２及び表示部１３の横幅が大きくなる。第４の実施例の状態表示器１０Ｃは、光アダプタ３が４連になった場合に、光アダプタ３を左右に２分割し、状態表示器１０Ｃの左側と右側で別々の状態表示を行えるようにしたものである。このため、第４の実施例の状態表示器１０Ｃは、採光部１１、連絡部１２及び表示部１３のそれぞれを、光アダプタ３に接続する４つのコネクタの境界部、例えば、４つのコネクタを２つずつに分ける境界部において、遮蔽板１８で左右に分断している。
【００３５】
遮蔽板１８は、採光部１１、連絡部１２及び表示部１３を連続のそれぞれを左右２つに分断するように状態表示器１０Ｃに内蔵されており、遮蔽板１８により状態表示器１０Ｃの左右方向の光の透過が防止される。遮蔽板１８で２つに分断された採光部１１は、基板４に実装された２つのＬＥＤにそれぞれ対向させることができる。すると、一方のＬＥＤから遮蔽板１８で分断された状態表示器１０Ｃの一方の側に入った光は、状態表示器１０Ｃの他方の側には進まない。このため、図１２（ａ）に示した状態表示器１０Ｃを装着した光アダプタ３は、図１２（ｂ）に示すように、左右で異なる色を発光させることができる。遮蔽板１８の数を増やして異なるＬＥＤに対向させることにより、１つの状態表示器１０Ｃを用いて複数のコネクタの状態を表示できるようになる。
【００３６】
なお、図１２（ａ）に示した第４の実施例の状態表示器１０Ｃの底面は平坦面である。一方、状態表示器１０Ｃの底面には、第２実施例の状態表示器１０Ａの底面のように反射板を設けても良く、第３の実施例の状態表示器１０Ｂの底面のように段差部１７を設けても良い。また、第４の実施例の状態表示器１０Ｃは、遮蔽板１８を用いたインサート成形で形成することができると共に、左右別々に成形した状態表示器を遮蔽板１８を挟んで接合することによっても形成できる。後者の場合は、遮蔽板１８の代わりに遮光性塗料を挟んで接合することも可能である。
【００３７】
また、以上説明した実施例では、コネクタアダプタとして光ケーブルに取り付けられる光アダプタを説明したが、電気信号を伝達するコネクタやそのアダプタにも取り付けて使用することが可能である。
【００３８】
以上、本出願を特にその好ましい実施の形態を参照して詳細に説明した。本出願の容易な理解のために、本出願の具体的な形態を以下に付記する。
【００３９】
（付記１）  電子装置の筐体に実装されるコネクタアダプタの、前記筐体から突出する部分に取り付けられる状態表示器であって、
導光部材で形成され、
前記筐体内に実装されて前記電子装置の動作状態に応じて発光するＬＥＤに対向する採光部と、
前記採光部に連続し、前記筐体の外部に突出する連絡部と、
前記連絡部に連続し、前記筐体から露出する前記コネクタアダプタの外周部全面に取り付けられる表示部とを備える状態表示器。
（付記２）  前記表示部は前記コネクタアダプタの外形に応じた取付孔を備えた環状部材であり、
前記採光部と前記連絡部は、前記表示部に突設された板状部材である付記１に記載の状態表示器。
（付記３）  前記表示部の前記筐体に対向する部分は、入射された前記ＬＥＤからの光を全反射させる角度を備えたテーパ面になっていることを特徴とする付記２に記載の状態表示器。
（付記４）  前記採光部の自由端部には、前記状態表示器が前記コネクタアダプタに取り付けられた時に、前記コネクタアダプタの端部に係合して前記状態表示器が前記コネクタアダプタから外れないようにする係止突起が設けられていることを特徴とする付記１から３の何れかに記載の状態表示器。
（付記５）  前記採光部には、前記ＬＥＤから照射された光を前記採光部内に取り込み易くする反射板が設けられている付記１から４の何れかに記載の状態表示器。
【００４０】
（付記６）  前記採光部には、前記ＬＥＤから照射された光を前記採光部内に取り込み易くするテーパ面を備える段差部が設けられている付記１から４の何れかに記載の状態表示器。
（付記７）  前記コネクタアダプタには複数のコネクタが接続され、
前記採光部、前記連絡部及び前記表示部には、前記状態表示器を前記複数のコネクタの境界部で分断して光の透過を防止する遮蔽板が内蔵されており、
前記遮蔽板で分断された前記採光部は、分断数に応じて前記基板に実装された複数のＬＥＤにそれぞれ対向していることを特徴とする付記１から６の何れかに記載の状態表示器。
（付記８）  付記１から７の何れかに記載の状態表示器を備えた電子装置。
（付記９）  電子装置の筐体に実装されるコネクタアダプタの、前記筐体から突出する部分の外周面に導光部材を周回させて表示部を形成し、
前記表示部の一部を延長し、延長した前記導光部材を前記筐体内に挿入し、
延長した前記導光部材の先端部分を採光部とし、前記採光部を前記筐体内にある基板に実装されて前記電子装置の動作状態に応じて発光するＬＥＤに対向させ、
前記採光部から前記導光部材内に進入した光を、前記導光部材の連絡部で前記表示部に導き、
前記表示部で前記コネクタアダプタの外周面を光らせて前記電子装置の動作状態を表示する電子装置の状態表示方法。
（付記１０）  前記コネクタアダプタに複数のコネクタが接続される場合に、
前記導光部材を前記複数のコネクタの接続境界部で左右に分断して光の透過を防止する遮蔽板を前記導光部材に内蔵させ、
前記遮蔽板で分断された前記採光部は、分断数に応じて前記基板に実装された複数のＬＥＤにそれぞれ対向させ、
前記遮蔽板の両側の前記表示部に、前記電子機器の異なる動作状態を表示させる付記９に記載の電子装置の状態表示方法。
【符号の説明】
【００４１】
１    電子装置
２    筐体
３    コネクタアダプタ（光アダプタ）
３Ｐ    突起
４    基板
５    ＬＥＤ
６    凸部
１０，１０Ａ，１０Ｂ，１０Ｃ    状態表示器
１１    採光部
１２    連絡部
１３    表示部
１５    係止突起
１６    反射板
１７    段差部
１８    遮蔽板
Ｔ    テーパ面
【図１】
2018097207.tif 000003
【図２】
2018097207.tif 000004
【図３】
2018097207.tif 000005
【図４】
2018097207.tif 000006
【図５】
2018097207.tif 000007
【図６】
2018097207.tif 000008
【図７】
2018097207.tif 000009
【図８】
2018097207.tif 000010
【図９】
2018097207.tif 000011
【図１０】
2018097207.tif 000012
【図１１】
2018097207.tif 000013
【図１２】
2018097207.tif 000014